(57)【要約】【課題】ラッチ部材を含む部品を作業性良く組付けることができ、各種の大きさの施錠装置に対し良好な汎用性を持って製造することができるゲーム機の施錠装置を提供する。【解決手段】ラッチ部材１０には係止ピン１４が移動可能に支持板３側に突出して設けられ、支持板３には係止ピン１４が係合するガイド係止孔８が設けられる。作動杆４には解錠時にラッチ部材１０の係止ピン１４に係合して解錠方向に動かす作動係合部４ａが設けられる。ラッチ部材１０がラッチ位置に回動した時、ラッチ部材１０の係止ピン１４が支持板３のガイド係止孔８のロック部８ａに係合してラッチ部材１０をラッチ位置に保持する。ラッチ部材１０は、係止ピン１４を移動可能に保持すると共に、係止ピン１４を施錠側に付勢し且つラッチ部材１０を解錠側に付勢するためのばね部材１３を内蔵する。【選択図】図１
2004105417.tif 000002
【特許請求の範囲】
【請求項１】
断面略Ｌ形に曲折した取付板と支持板とを有する基枠体の該支持板に沿って長尺の作動杆が摺動可能に配設され、該取付板の中間部にシリンダ錠が固定され、該シリンダ錠の錠軸にカム板が該作動杆に係合可能に取り付けられ、該基枠体の取付板がゲーム機の前面枠の内側に取り付けられ、ゲーム機の本体枠の内側に受け金具が取り付けられるゲーム機の施錠装置において、
該基枠体の支持板の上部と下部に該受け金具の進入を許容する開口部が形成され、該開口部内の受け金具を拘束するロック凹部を有するラッチ部材が上部と下部の該開口部の近傍に各々回動可能に枢支され、該ラッチ部材には係止ピンが移動可能に該支持板側に突出して設けられ、該支持板の上部と下部には該係止ピンが係合するガイド係止孔が設けられ、該作動杆の上部と下部には解錠時に該ラッチ部材の該係止ピンに係合して解錠方向に動かすための作動係合部が設けられ、該ラッチ部材が受け金具に押されてラッチ位置に回動した時、該ラッチ部材の係止ピンが該支持板のガイド係止孔のロック部に係合して該ラッチ部材をラッチ位置に保持するように構成され、該ラッチ部材は、前記係止ピンを移動可能に保持すると共に、該係止ピンを施錠側に付勢し且つラッチ部材自体を解錠側に付勢するためのばね部材を内蔵して構成されたことを特徴とするゲーム機の施錠装置。
【請求項２】
前記ラッチ部材には前記支持板側に係合孔が設けられ、該支持板に突設された支持凸部が該係合孔内に移動可能に挿入され、前記ばね部材が該支持凸部に当接して、該ラッチ部材が解錠側に付勢されていることを特徴とする請求項１記載のゲーム機の施錠装置。
【請求項３】
前記ラッチ部材は、ラッチ本体と該ラッチ本体の側部を覆うカバー板とから構成され、該カバー板に前記係合孔と前記係止ピンが突出するガイド孔が形成され、該ラッチ本体内に形成された空間に前記ばね部材と係止ピンが収容されたことを特徴とする請求項２記載のゲーム機の施錠装置。
【請求項４】
前記受け金具に先端フランジ付きピンが設けられ、該先端フランジ付きピンが前記開口部に進入しラッチ部材のロック凹部内に拘束されることを特徴とする請求項１記載のゲーム機の施錠装置。
【発明の詳細な説明】
【０００１】
【発明の属する技術分野】
本発明は、パチンコ機、スロットマシンなどのゲーム機の前面枠（前扉）を本体枠（キャビネット）に対し施錠するゲーム機の施錠装置に関する。
【０００２】
【従来の技術】
従来、パチンコ機の施錠装置として、一般に、基枠体の内側に作動杆が摺動可能に配設され、基枠体の支持板の上部と下部に鉤部材が、作動杆に連結されて傾動可能に枢支され、基枠体の取付板の中間部に、シリンダ錠がその錠軸を取付板に設けた孔から内側に差し込むように固定され、錠軸の先端に作動杆と係合するカム板が取り付けられた構成の施錠装置が使用されている。
【０００３】
【発明が解決しようとする課題】
この種のゲーム機用施錠装置は、構造が強固で、施錠・解錠動作も確実に行うことができるものの、構造上、前面枠の内側に取付けられた施錠装置の鉤部材が前面枠の内側から突出する。このため、前面枠のアッセンブリーを梱包して搬送する場合、その梱包が難しく、突出した鉤部材が搬送中に他の部分に当たって傷つく等の問題があった。
【０００４】
そこで、本発明者らは、従来、前面枠の内側から突出する部分がなく、前面枠を本体枠に対し、円滑且つ確実に施錠・解錠することができるパチンコ機の施錠装置を提案した（下記の特許文献１を参照）。
【０００５】
【特許文献１】
特許第３０８７０２４号公報
この施錠装置は、断面Ｌ形に曲折した取付板と支持板とを有する基枠体の内側に長尺の作動杆が摺動可能に配設され、取付板の中間部にシリンダ錠が固定され、シリンダ錠の錠軸にカム板が作動杆に係合可能に取り付けられ、基枠体の取付板が前面枠の内側に取り付けられ、本体枠の内側に受け金具が取り付けられる施錠装置であり、基枠体の支持板の上部と下部に受け金具の進入を許容する開口部が形成され、開口部内の受け金具を拘束するロック凹部を有するラッチ部材が上部と下部の開口部の近傍に各々回動可能に枢支され、作動杆の上部と下部に係合ピンが取付けられ、上部と下部のラッチ部材が受け金具に押されてラッチ位置に回動した時、作動杆の係合ピンが係合してラッチ位置にロックするための係合部がラッチ部材の一部に形成され、ラッチ部材を解錠側に付勢し作動杆を施錠側に付勢するためのコイルばねがラッチ部材と作動板間に掛けられて構成される。
【０００６】
しかし、この施錠装置は、前面枠の内側から突出する部分がなく、前面枠を本体枠に対し、円滑且つ確実に施錠・解錠することができるものの、作動杆の上部と下部に係合ピンを組付ける作業、ラッチ部材と作動杆の係合ピンを係合させながら組付ける作業、コイルばねをラッチ部材と作動板間に装着するための作業などが煩雑で、組付け作業性が悪いという不具合があり、また、大きさが異なる施錠装置に対する汎用性に欠けるという問題があった。
【０００７】
本発明は、上記の点に鑑みてなされたもので、ラッチ部材を含む部品を作業性良く組付けることができ、各種の大きさの施錠装置に対し良好な汎用性を持って製造することができるゲーム機の施錠装置を提供することを目的とする。
【０００８】
【課題を解決するための手段】
上記目的を達成するために、本発明のゲーム機の施錠装置は、断面略Ｌ形に曲折した取付板と支持板とを有する基枠体の該支持板に沿って長尺の作動杆が摺動可能に配設され、該取付板の中間部にシリンダ錠が固定され、該シリンダ錠の錠軸にカム板が該作動杆に係合可能に取り付けられ、該基枠体の取付板がゲーム機の前面枠の内側に取り付けられ、ゲーム機の本体枠の内側に受け金具が取り付けられるゲーム機の施錠装置において、該基枠体の支持板の上部と下部に該受け金具の進入を許容する開口部が形成され、該開口部内の受け金具を拘束するロック凹部を有するラッチ部材が上部と下部の該開口部の近傍に各々回動可能に枢支され、該ラッチ部材には係止ピンが移動可能に該支持板側に突出して設けられ、該支持板の上部と下部には該係止ピンが係合するガイド係止孔が設けられ、該作動杆の上部と下部には解錠時に該ラッチ部材の該係止ピンに係合して解錠方向に動かすための作動係合部が設けられ、該ラッチ部材が受け金具に押されてラッチ位置に回動した時、該ラッチ部材の係止ピンが該支持板のガイド係止孔のロック部に係合して該ラッチ部材をラッチ位置に保持するように構成され、該ラッチ部材は、前記係止ピンを移動可能に保持すると共に、該係止ピンを施錠側に付勢し且つラッチ部材自体を解錠側に付勢するためのばね部材を内蔵して構成されたことを特徴とする。
【０００９】
ここで、請求項２のように、前記ラッチ部材には前記支持板側に係合孔が設けられ、該支持板に突設された支持凸部が該係合孔内に移動可能に挿入され、前記ばね部材が該支持凸部に当接して、該ラッチ部材を解錠側に付勢する構成とすることができる。
【００１０】
また、請求項３のように、前記ラッチ部材は、ラッチ本体と該ラッチ本体の側部を覆うカバー部とから構成され、該カバー部に前記係合孔と前記係止ピンが突出するガイド孔が形成され、該ラッチ本体内に形成された空間に前記ばね部材と係止ピンを収容する構成とすることができる。
【００１１】
また、請求項４のように、前記受け金具に先端フランジ付きピンが設けられ、該先端フランジ付きピンを前記開口部に進入させ、ラッチ部材のロック凹部内に拘束させる構成とすることができる。
【００１２】
【作用】
このような構成の施錠装置は、前面枠を本体枠に対し閉じると、受け金具が支持板の開口部からラッチ部材のロック凹部内に進入し、受け金具がラッチ部材を押し込むようにしてラッチ部材が回動し、ラッチ部材のロック凹部内に受け金具が拘束された状態となる。この時、ラッチ部材の係止ピンが支持板側のガイド係止孔のロック部に進入して係止されるため、ラッチ部材がそのラッチ位置に保持され、受け金具はラッチ部材のロック凹部内にロックされ施錠状態となる。
【００１３】
シリンダ錠の鍵を回すと、カム板が回動し、そこに係合する作動杆が移動し、それにより、作動杆の上部と下部に設けた作動係合部がラッチ部材の係止ピンを解錠方向に移動させる。これにより、係止ピンが支持板のガイド係止孔のロック部から外れ、このとき、ラッチ部材はばね部材の付勢力によって解錠側に回動し、ロックされていた受け金具がラッチ部材のロック凹部から外れ、開口部から押し出され、解錠状態となる。
【００１４】
この施錠装置では、ラッチ部材内に係止ピンとばね部材を内蔵させてユニット化し、そのラッチ部材を支持板の所定部位に枢支し、作動杆を支持板に沿って摺動可能に配設し、シリンダ錠とカム板を取り付けるだけの比較的簡単な組付け作業で装置を製作することができ、施錠装置の製造ライン上で、ばね部材やピンなどの小形の部品を組付ける必要がなく、製造ラインでの組付け作業性を大きく向上させることができる。
【００１５】
また、係止ピンとばね部材を内蔵させたラッチ部材をユニット化することにより、製造時のラッチ部材の作動不良時、或いは故障時にはラッチ部材を交換するだけで簡単に対応することができる。さらに、長さや幅の異なる各種の大きさの施錠装置に対し、ユニット化されたラッチ部材を共通部品として汎用性を持たせて使用することができ、製造コストを削減することができる。また、受け金具に先端フランジ付きピンを設けて使用すれば、施錠時の外れを防止し、且つ円滑に施錠・解錠を行うことができる。
【００１６】
【発明の実施の形態】
以下、本発明の実施の形態を図面に基づいて説明する。図１は施錠装置の右側面図を、図２はその背面図を、図３はその左側面図を示している。この施錠装置は縦長の基枠体１を有し、基枠体１は断面略Ｌ形に曲折された取付板２と支持板３とからなり、取付板２には複数の取付け孔が穿設される。支持板３の中間部は、中間支持部３ａとして、左側に突出して形成され、その中間支持部３ａに対応した取付板２の部分は幅広に形成され、その部分に後述のシリンダ錠１７が取り付けられる。
【００１７】
支持板３の上部と下部の少し幅広に形成され部分に、開口部７，７が後述の受け金具２０の先端フランジ付きピン２１を受け入れるように切り欠いて形成される。更に、図５に示すように、開口部７，７の少し下方に、後述のラッチ部材１０の係止ピン１４をガイドし且つ係止するガイド係止孔８，８が支持板３に形成される。
【００１８】
このガイド係止孔８，８は円弧状の部分とそれに続く作動杆４に平行なロック部８ａ，８ａとからなり、ラッチ部材１０の係止ピン１４がガイド孔１２ａを移動してロック部８ａ，８ａに進入したとき、ラッチ部材１０はラッチ状態となりロックされる。その上下の開口部７，７の近傍に、開口部７，７に進入した受け金具のピン２１、２１を拘束するラッチ部材１０，１０が、軸ピン６，６により回動可能に軸支される。
【００１９】
さらに、ガイド係止孔８，８の少し上の支持板３には、支持凸部９、９が内側つまりラッチ部材１０，１０側に突出して設けられる。この支持凸部９は、図７に示すように、ラッチ部材１０の円弧状の係合孔１２ｂに進入し、ばね部材１３に当接する。これにより、ラッチ部材１０は、図１０のように、施錠方向に回動力を受けたとき、ばね部材１３は、ラッチ部材１０を図１０の反時計方向つまり解錠方向に付勢する。
【００２０】
ラッチ部材１０には、受け金具のピン２１、２１を受け入れて拘束するロック凹部１５が形成され、更に、ラッチ部材１０内には、図６、図７に示すようにラッチ部材１０をラッチ状態に係止するための係止ピン１４と付勢用のばね部材１３が内蔵される。すなわち、ラッチ部材１０は、図６のように、ラッチ本体１１とそれを覆うカバー部１２とを有して形成され、ラッチ本体１１内には空間が形成され、その内部空間にばね部材１３と係止ピン１４が収納される。ラッチ本体１１は、ポリアミド樹脂などのプラスチックを用いて成形することができ、カバー部１２は、金属板を用いて形成される。
【００２１】
係止ピン１４は、ラッチ部材１０を図１０のようにラッチ位置に回動させたとき、その位置で係止させてロックさせるもので、カバー板１２に形成されたガイド孔１２ａから支持板側に突き出すように配設され、ばね部材１３により常に外側に付勢されている。
【００２２】
ばね部材１３は、図６、図７のように捻り形状を有する捻りばねであり、その一端で係止ピン１４を付勢し、その他端で支持板３の内側に突設した支持凸部９を付勢するように掛止され、中央の円環部をラッチ部材１０の軸ピン６に外嵌させている。ラッチ部材１０のカバー板１２に形成された円弧状の係合孔１２ｂには、上記支持凸部９が進入して係合され、ラッチ部材１０内のばね部材１３の他端がその支持凸部９に係合している。つまり、このばね部材１３の他端がその支持凸部９に係合することにより、ラッチ部材１０は相対的に解錠側（図１０の時計方向）にばね力を受けて付勢される。
【００２３】
図６、図７のような構造のラッチ部材１０は、内部にばね部材１３や係止ピン１４を内蔵してユニット化されている。つまり、ラッチ本体１１内に係止ピン１４、ばね部材１３を組み込み、カバー板１２を固定ねじ１６で固定して、施錠装置の組立工程の前に予め製造しておく。これにより、施錠装置の製造ラインでは、このラッチ部材１０を軸ピン６で軸支するだけでよく、組付け作業が簡単となる。
【００２４】
縦長で帯状の作動杆４は、基枠体１の支持板３の外側、中間支持板３ａの内側に沿って摺動可能に配設される。作動杆４には、図５に示すように、その上部と下部に作動係合部４ａ，４ａが支持板３側で且つラッチ部材１０側に向けて突設され、上記ラッチ部材１０の係止ピン１４が配置されるガイド係止孔８のロック部８ａ内に進入しており、解錠時には、その作動係合部４ａ，４ａの先端で係止ピン１４を押して、ラッチを解除する構造である。
【００２５】
また、作動杆４にはその中間部下寄りに後述のカム板１８が係合するための係合孔部４ｄが形成される。さらに、作動杆４の上部と下部にはガイド孔４ｃ、４ｃが形成され、ガイドピン４ｂ、４ｂがこのガイド孔４ｃ、４ｃに挿通されて支持板３に固定され、これにより、作動杆４の上下摺動がガイドピン４ｂ、４ｂによりガイドされる。
【００２６】
作動杆４は支持板３に沿って且つラッチ部材１０，１０を覆うように配設され、作動杆４と各ラッチ部材１０，１０との間に、ラッチ部材１０，１０を解錠側に付勢し作動杆４を施錠側に付勢するためのコイルばね９、１０が掛けられている。
【００２７】
基枠体１の取付板２の中間幅広部には孔が形成され、その孔に内側から挿入する形態でシリンダ錠１７が装着される。シリンダ錠１７はフランジを有しそのフランジを取付板２にねじ止めして固定される。シリンダ錠１７の錠軸は基枠体１の内側に突出し、その先端にカム板１８が固定される。カム板１８には第１の係合凸部と第２の係合凸部が形成され、その第１の係合凸部は、シリンダ錠１７の鍵の右回転に応じて上記作動杆４の係合孔部４ｄと係合し、第２の係合凸部はその左回転に応じて後述のスイッチ用作動杆１９の係合部１９ｂに係合可能である。また、このカム板１８の第１の係合凸部は、作動杆４の係合孔部４ｄ内に常時進入しているため、カム板１８の回動によってのみ移動し、針金などを差し込み、その先端を作動杆４に引っ掛けて、作動杆４を解錠方向に移動させようとしても移動は不可能である。
【００２８】
スイッチ用作動杆１９は図２に示すように、作動杆４と中間支持板３ａの間に摺動可能に配設され、その一部の作動部１９ａが中間支持板３ａの長孔から外側に突出する。作動部１９ａの下方の中間支持部３ａには、図２に示すように、ブラケットを介して非接触スイッチ２５が固定される。そして、作動杆４との間に、スイッチ用作動杆１９を上方に付勢し、作動杆４を下方に付勢するためのコイルばね２６が掛けられる。シリンダ錠１７の鍵を左に回すと、カム板１８が回動して、カム板１８が係合部１９ｂに係合し、コイルばね２６の付勢力に抗してスイッチ用作動杆１９を下降させ、その作動部１９ａが非接触スイッチ２５内に進入し、スイッチをオンオフさせる構造である。
【００２９】
このように構成された施錠装置は、図１１、図１２に示すように、ゲーム機の前面枠（前扉）２２の内側に取付板２を介して固定され、本体枠（キャビネット）２３内の対向位置に受け金具２０が取り付けられる。受け金具２０は、図８、図９に示すように、縦長に形成され、その上部と下部に、先端フランジ付きピン２１を突設して形成される。前面枠２２を閉じた際、先端フランジ付きピン２１は、基枠体１の支持板３の開口部７，７、及びラッチ部材１０のロック凹部１５に進入可能である。この先端フランジ付きピン２１は先端にフランジが設けられ、ロック凹部１５との係合時には、係合を外れにくくしている。また、受け金具２０の下部には、基枠体１の下部に軸支した支持ローラ２４が乗り上げるための、滑り板２０ａが取り付けられる。
【００３０】
図１１に示すように、前面枠２２を本体枠２３に対し閉じると、上下の受け金具２０の先端フランジ付きピン２１、２１が、上部と下部の開口部７，７からラッチ部材１０，１０のロック凹部１５，１５内に進入する。このとき、図１０に示すように、先端フランジ付きピン２１、２１がラッチ部材１０，１０を押し込むようにして、ラッチ部材１０，１０が図１０の反時計方向に回動し、図１０の最下段に示す位置までラッチ部材１０，１０が回動すると、ラッチ部材１０内の係止ピン１４がばね部材１３の付勢力によりガイド孔１２ａ内で移動し、これによって、係止ピン１４がガイド係止孔８のロック部８ａに進入する。
【００３１】
このとき、ラッチ部材１０，１０の回動がロックされ、図１２に示すように、ラッチ部材１０，１０のロック凹部１５、１５内に受け金具２０の先端フランジ付きピン２１、２１が拘束され、ラッチ部材１０，１０がそのラッチ位置に保持され、施錠状態となる。
【００３２】
前面枠２２を解錠する場合、シリンダ錠１７に挿入した鍵を右に回すと、カム板１８が同方向に回動し、そこに係合する作動杆４が上に移動し、それにより、上部と下部の作動係合部４ａ（支持板３のガイド係止孔８のロック部８ａに嵌入している）が同様に移動し、そのロック部８ａ内の係止ピン１４を図１０の左側に押すように作用する。これにより、係止ピン１４はロック部８ａからガイド係止孔８へと移動することにより、ラッチ部材１０，１０のラッチ位置でのロックが外れる。このとき、ラッチ部材１０，１０はばね部材１３の付勢力により図１０の時計方向に回動し、拘束されていた受け金具２０、２０のピン２１、２１がラッチ部材１０，１０のロック凹部１５、１５から外れ開口部７からも押し出されて解錠状態となる。また、上記のように、作動杆４の作動係合部４ａは、支持板３のガイド係止孔８のロック部８ａ内に嵌入しているため、針金などを差し込み、その先端を作動係合部４ａに引っ掛けようとしても不可能であり、針金などによる不正解錠を防止することができる。
【００３３】
非接触スイッチ２５を動作させる場合、シリンダ錠１７に挿入した鍵を左に回すと、カム板１８が同方向に回動し、そこに係合するスイッチ用作動杆１９が下に移動し、作動部１９ａの下降により非接触スイッチ２５内に作動部１９ａが進入し、スイッチ２５がオンオフ動作する。
【００３４】
このように、基枠体１の支持板３の上部と下部に開口部７、７を形成し、開口部７、７の近傍にラッチ部材１０，１０を回動可能に枢支し、開口部７内に進入した受け金具２０の先端フランジ付きピン２１を、ラッチ部材１０，１０のロック凹部１５，１５内に保持しロックするように構成したから、従来のような鉤部材が施錠装置の背面側に突出せず、前面枠のアッセンブリーを梱包して搬送する場合、その梱包を容易に行うことができ、突出した鉤部材がないため、搬送中にそれが他の部分に当たって傷つく等の問題を解消することができる。
【００３５】
また、ここで使用されるラッチ部材１０は、その内部にばね部材１３及び係止ピン１４が内蔵されてユニット化され、予めラッチ部材１０を製作しておくことができるから、施錠装置の製造ラインの組付け作業を簡単化することができる。
【００３６】
【発明の効果】
以上説明したように、本発明のゲーム機の施錠装置によれば、ラッチ部材内に係止ピンとばね部材を内蔵させてユニット化し、そのラッチ部材を支持板の所定部位に枢支し、作動杆を支持板に沿って摺動可能に配設し、シリンダ錠とカム板を取り付けるだけの比較的簡単な組付け作業で施錠装置を製作することができ、施錠装置の製造ライン上で、ばね部材やピンなどの小形の部品を組付ける必要がないため、製造ラインでの組付け作業性を大きく向上させることができる。
【００３７】
また、係止ピンとばね部材を内蔵させたラッチ部材をユニット化することにより、製造時のラッチ部材の作動不良時、或いは故障時にはラッチ部材を交換するだけで簡単に対応することができる。さらに、長さや幅の異なる各種の大きさの施錠装置に対し、ユニット化されたラッチ部材を共通部品として汎用性を持たせて使用することができ、製造コストを削減することができる。
【図面の簡単な説明】
【図１】本発明の一実施例を示す施錠装置の施錠時の右側面図である。
【図２】同装置の背面図である。
【図３】同装置の左側面図である。
【図４】同装置の分解背面図である。
【図５】同装置の分解側面図である。
【図６】ラッチ部材１０の分解斜視図である。
【図７】ラッチ部材１０の背面図である。
【図８】受け金具２０の右側面図である。
【図９】受け金具２０の正面図である。
【図１０】ラッチ部材１０のラッチ動作を示す動作説明図である。
【図１１】使用状態の断面説明図である。
【図１２】施錠した状態の断面説明図である。
【符号の説明】
１−基枠体
２−取付板
３−支持板
４−作動杆
６−軸ピン
７−開口部
８−ガイド係止孔
８ａ―ロック部
１０−ラッチ部材
１１−ラッチ本体
１２−カバー板
１３−ばね部材
１４−係止ピン
１５−ロック凹部
１７−シリンダ錠
１８−カム板
２０−受け金具
２１−先端フランジ付きピン
【図１】
2004105417.tif 000003
【図２】
2004105417.tif 000004
【図３】
2004105417.tif 000005
【図４】
2004105417.tif 000006
【図５】
2004105417.tif 000007
【図６】
2004105417.tif 000008
【図７】
2004105417.tif 000009
【図８】
2004105417.tif 000010
【図９】
2004105417.tif 000011
【図１０】
2004105417.tif 000012
【図１１】
2004105417.tif 000013
【図１２】
2004105417.tif 000014